(57)【要約】      （修正有）【課題】ダイヤモンドのような面心立方格子構造状の３次元（３Ｄ）空間が光を反射させる銀器の表層構造を提供する。【解決手段】シルバーメタル（銀合金を含む）１によって成形された装飾品または特定形状（片状を含む）を備えた銀装飾体を含み、シルバーメタルの少なくとも一部表層は再結晶温度まで加熱して、再結晶表層１１を形成する。これによって、加工時の残留応力は取り除かれ、延展性を高め、再結晶表層の結晶粒を成長させて、立方格子化した結晶表面の特性を出現させる。その後、電気化学電解方式を用いて、シルバーメタルの再結晶表層に精巧な電解法を施し、さらなる表面処理をおこない、全体結晶格子の鮮明度と結晶表面の光沢効果を向上させる。さらに、再結晶表層上には電気めっき層２を形成し、電気めっき層の成分中には、色彩と光沢を備えた材料を添加する。【選択図】図２
0003171408.tif 000002
【実用新案登録請求の範囲】
【請求項１】
少なくとも一つのシルバーメタルを含み、
前記シルバーメタルの少なくとも一部表面に再結晶表層を形成することを特徴とする銀器の表層構造。
【請求項２】
前記再結晶表層には解離化表層を形成することを特徴とする請求項１に記載の銀器の表層構造。
【請求項３】
前記解離化表層には光沢層を形成することを特徴とする請求項２に記載の銀器の表層構造。
【請求項４】
前記再結晶表層には電気めっき層を形成することを特徴とする請求項１、２、３のいずれか一項に記載の銀器の表層構造。
【請求項５】
前記電気めっき層には色彩と光沢を備えた電気めっき材料を添加することを特徴とする請求項４に記載の銀器の表層構造。
【請求項６】
色彩と光沢を備えた前記電気めっき材料を金属とすることを特徴とする請求項５に記載の銀器の表層構造。
【請求項７】
前記シルバーメタルは、手や首を装飾するデザインであることを特徴とする請求項１、２、３、４、５、６の何れか一項に記載の銀器の表層構造。
【請求項８】
前記シルバーメタルは片状体であることを特徴とする請求項１、２、３、４、５、６、７の何れか一項に記載の銀器の表層構造。
【請求項９】
前記片状体表面は扁平化鱗結晶状の形態をなすことを特徴とする請求項８に記載の銀器の表層構造。
【請求項１０】
前記シルバーメタルを腕時計の文字盤とすることを特徴とする請求項１、２、３、４の何れか一項に記載の銀器の表層構造。
【請求項１１】
前記シルバーメタルを時計のバンドとすることを特徴とする請求項１、２、３、４の何れか一項に記載の銀器の表層構造。
【請求項１２】
前記シルバーメタルを置物の表面とすることを特徴とする請求項１、２、３、４の何れか一項に記載の銀器の表層構造。
【請求項１３】
前記シルバーメタルをフレームの表面とすることを特徴とする請求項１、２、３、４の何れか一項に記載の銀器の表層構造。
【考案の詳細な説明】
【技術分野】
【０００１】
本考案は、銀器（銀製品）の表層構造に関し、特に、ダイヤモンドのような面心立方格子構造状の３次元（３Ｄ）空間が光を反射させる銀器の表層構造に係る。
【背景技術】
【０００２】
伝統的な銀器の表面処理を図１に示す。同図に示すとおり、通常は、ポリッシュ（ｐｏｌｉｓｈｉｎｇ）加工法を用いて、シルバーメタル１０の表面を光らせるポリッシュ面１０１を形成するか、ワイヤー加工またはドリル切削加工法を用いて、シルバーメタル１０の表面に細い法線ベクトルトレース、或いはドリル切削トレース１０２を付けるか、エッチング加工またはスプレー方式で、シルバーメタル１０の表面にエッチング、或いは細砂凹面１０３を形成する。
前述した種々の加工方式により生じる表面効果によって、異なる効果と異なる質感の要求を満たすことが可能である。
しかしながら、前述した加工方式はいずれも、機械での加工または化学薬品を用いる加工であり、シルバーメタル１０の表面を傷つけて、一般の金属に類似する金属表面の光沢や質感および視覚効果を生じさせるものである。よって、これらの金属表面を傷つける加工は、加工金属の表面にそれぞれの異なるカットトレースを備えた視覚感を生み出すが、面心立方格子表面にある金属元来の特殊な視覚効果や質感を保持できず、金属自体の立方格子表面を用いた多方向性の反射効果を生じさせることが難しい。その変化形態においては、金属の格子構造自身の持つ華やかさやまばゆさという独特な視覚効果を効果的に用いることができず、非常に残念である。
【０００３】
本考案は既述した公知の銀器の表層構造の欠点に鑑みてなされたもので、上記欠点を解決するためになされたものである。
【考案の概要】
【考案が解決しようとする課題】
【０００４】
本考案が解決しようとする課題は、前述した従来技術の問題点を改善した銀器の表層構造を提供することにある。すなわち、立体結晶式で光線を反射する表面を備え、銀器表面の視覚される変化可能な範囲を拡大し、消費者の興味を引きつける条件と特質を向上させる銀器の表層構造を提供することを目的とする。
【課題を解決するための手段】
【０００５】
前述の問題を解決するために、本考案の採用する技術手段は、少なくとも一つのシルバーメタルを含み、前記シルバーメタルの少なくとも一部表面に再結晶表層を形成することにある。
【０００６】
前述の構造に基づき、精巧な電解方法を用いて、シルバーメタルの再結晶表層に対し、電解表面処理を施して解離化表層を形成し、格子の鮮明度と光沢度を高める。そのうち、電解溶液中には光沢剤を添加して光沢層を形成し、結晶表面の光沢度を高める。また、前記再結晶表層には電気めっき処理を施すことも可能であり、電気めっき処理の成分中に色彩と光沢を備えた材料（金属材料を含む）を添加することにより、結晶表面に、多種色彩の視覚変化を与えることができる。
前記した電気めっき層には色彩と光沢を備えた電気めっき材料を添加してもよく、また色彩と光沢を備えた前記電気めっき材料を金属としてもよい。
前記したシルバーメタルは、手や首を装飾するデザインの製品、或いは片状体であってもよい。前記片状体の表面は扁平化鱗結晶状の形態をなすことが望ましい。
前記したシルバーメタルは、腕時計の文字盤、或いは時計のバンドであってもよい。
前記したシルバーメタルで各種の置物の表面を形成してもよい。
前記したシルバーメタルで各種のフレームの表面を形成してもよい。
【考案の効果】
【０００７】
前述したとおり、本考案の銀器の表層構造は、立体結晶式で光線を反射する表面を備え、銀器表面の視覚される変化可能な範囲を拡大し、消費者の興味を引きつける条件と特質を向上させる効果を発揮する。また、直接銀材料の立方格子特性を利用して、伝統的な加工法による達成が困難な多方向性の光線反射特性を備えさせることにより、器物表面の金属の質感を高め、製品全体の競争力を向上させる効果を奏する。
【図面の簡単な説明】
【０００８】
【図１】公知の銀器の表面加工構造を示す図である。
【図２】本考案の銀器の平面構造を示す図である。
【図３】本考案の銀器の実施例図である。
【図４】本考案に関し、薄片状の銀装飾片に応用した実施例図である。
【考案を実施するための形態】
【０００９】
以下図面を参照しながら本考案の実施の形態について説明する。
【実施例】
【００１０】
図２に示すとおり、本考案は主に、シルバーメタル１（銀合金を含む）によって成形された装飾品または特定形状（片状を含む）を備えた銀装飾体を含んでなる。
そのうち、シルバーメタル１の伝統的な成形過程においては、圧延、鍛造、押出等の冷間加工が行われる。
よって、結晶粒間での転位（Ｄｉｓｌｏｃａｔｉｏｎ）が密集すると、その降伏強度及び引張強度が増加するが、延展性が下降し、保存に不利となる。
しかも、シルバーメタル１内部には残留応力（ｒｅｓｕｄｕａｌ  ｓｔｒｅｓｓｅｓ）が生じ、予期しない変形が引き起こされることもある。
また、シルバーメタル１表面には、通常、各種の機械加工（圧延ポリッシュ、ワイヤ、穴あけ切削、その他、表面に施すきめ細かな切削加工等を含む）を行わなければならず、シルバーメタル１表面の結晶が破壊されてしまうため、元来のシルバーメタル１表面にある特殊な結晶の視覚的質感を表現できない。
本考案は主に、シルバーメタル１を成形した後、少なくとも一部表層を再結晶温度まで加熱し、その一部表層を再結晶させることにより、多方向性の立方格子形状を備えた再結晶表層１１を形成する。
その再結晶表層１１には、転位（Ｄｉｓｌｏｃａｔｉｏｎ）した少量の新結晶粒が形成されて成長し、前述した大多数の転位を取り除くことができ（降伏強度及び引張強度の低下、延展性の増加）、残留応力も低下するのと同時に、新たに結晶した結晶粒は、シルバーメタル１表面に形成され、ダイヤモンドのように立方格子化した不規則な光線反射特性（即ち結晶がきらめく現象）を備える。
また、再結晶表層１１の外表面に別に解離化表層を設けるが、これは、電気化学解離方式を用いて、シルバーメタル１の再結晶表層１１に電解法での精巧な表面処理を施すことによる。
これによって、それらの再結晶の格子鮮明度と表面の光沢度を大幅に向上させる。
さらに、解離化表層上には光沢層を配置することも可能であり、それは、電解処理後の原料である電解溶液内に適度に光沢剤（または光沢原料）を添加したもので、結晶表面全体の反射効果（光沢度）を向上させる働きを備える。
【００１１】
図３及び図４に示すとおり、シルバーメタル１は、その異なる要望に基づいて、リング形状やその他デザインの銀装飾品３（図３に示した指輪、ネックレスや装着用及び非装着用の物品表面、ベルト表面、置物の表面、フレーム表面等）への成形が可能である。
銀装飾品３を加工する時は、加工したい銀装飾品３の表面を再結晶温度になるまで加熱し、銀装飾品３表面に再結晶表層１１を形成する。
また、再結晶表層１１でないその他の箇所には、要望に応じて、平面或いは凹凸を備えた装飾品模様３１の加工を別に施すことも可能で、尚且つ、再結晶表層１１の外表側には、前記の電気めっき層２を設けることも可能である。
また、再結晶表層１１を備えたシルバーメタル１表面は、延圧方式を含む加工で薄片状の銀装飾片３０（例えば図４に示したネイルや時計表面の文字盤）に成形することも可能である。
しかも、銀装飾片３０は、特に、再結晶表層１１の表面箇所に元々の再結晶形態を保持させられる他、前記の圧延方式を含む加工によって、扁平化した鱗結晶形態の再結晶表層１１Ａを形成することも可能である。この他、前記再結晶表層１１に十分な保護を与え、酸化や硫化現象の発生を防ぐために、再結晶表層１１の外表面に、電気めっき処理を施し、電気めっき層２を形成することも可能である。
さらには、前記方式に基づいて付け加えた電気めっき層２の成分に、色彩のある電気めっき可能な材料（金属材料を含む）を添加することも可能である。
それによって、全体の外観には不規則な光線反射効果が生じ、特定の色彩光沢が備わり、多元性のある多様な視覚変化や展示効果を表すため、伝統的なプラスチック製品と比較し、優位性のある特質と価値観を確実に表現するものとなる。
【００１２】
以上を総合すると、本考案の銀器の表層構造は、結晶状の不規則に反射する光線を生じさせ、反射の明るさを高める効果を奏する。
【符号の説明】
【００１３】
１、１０        シルバーメタル（銀合金を含む）
１１、１１Ａ    再結晶表層
１０１          ポリッシュ面
１０２          法線ベクトルトレース或いはドリル切削トレース
１０３          エッチング或いは細砂凹面
２              電気めっき層
３              銀装飾品
３０            銀装飾片
３１            装飾品模様
【図１】
0003171408.tif 000003
【図２】
0003171408.tif 000004
【図３】
0003171408.tif 000005
【図４】
0003171408.tif 000006